(57)【特許請求の範囲】
【請求項１】
基地局と、この基地局と無線で接続される移動機と、この移動機と接続される画像端末とからなる通信システムであって、
前記移動機は前記画像端末との接続状態を監視する監視手段と、発信側端末からの発信により前記基地局を経由して画像着信があった場合に前記監視手段における監視内容に応じた動作を前記基地局に対して行う制御手段とを含み、
前記制御手段は前記監視手段にて前記移動機と前記画像端末とが接続されていないと確認された場合、応答保留を前記発信側端末に通知し、次いで音声のみの着信を決定するための前記移動機における操作により、音声のみ着信可能であることを前記発信側端末に通知することを特徴とする通信システム。
【請求項２】
前記制御手段は前記監視手段にて前記移動機と前記画像端末とが接続されていると確認された場合、画像着信用の応答を前記基地局を介して前記発信側端末にに対して行うことを特徴とする請求項１記載の通信システム。
【請求項３】
前記監視手段は記憶部を有し、定期的に前記画像端末との接続状態を監視してその結果を前記記憶部に記録し、前記制御手段はこの記憶部に記録された結果に応じた動作を前記基地局を介して前記発信側端末に対して行うことを特徴とする請求項１から２いずれか記載の通信システム。
【請求項４】
前記監視手段は前記基地局から着信があった時に改めて前記画像端末との接続状態を監視することを特徴とする請求項１から３いずれか記載の通信システム。
【請求項５】
前記制御手段は前記基地局から音声着信があった場合に前記基地局を介して前記発信側端末に対して音声着信用の応答を行うことを特徴とする請求項１から４いずれか記載の通信システム。
【請求項６】
前記制御手段は音声通話中に画像通信への切替えを希望する場合、着信種類の確認を行うことを特徴とする請求項１から５いずれか記載の通信システム。
【請求項７】
前記制御手段は画像通信中に音声通話への切替えを希望する場合、着信種類の確認を行うことを特徴とする請求項１から６いずれか記載の通信システム。
【請求項８】
前記制御手段は音声着信と画像着信との判別を制御チャネル上の制御情報に含まれるＴＥｍＩＤに基づき行うことを特徴とする請求項１から７いずれか記載の通信システム。
【請求項９】
前記移動機と前記画像端末とは無線で接続されることを特徴とする請求項１から８いずれか記載の通信システム。
【請求項１０】
請求項１から９記載の通信システムに用いられることを特徴とする移動機。
【請求項１１】
基地局と、この基地局と無線で接続される移動機と、この移動機と接続される画像端末とからなる通信システムに用いられる通信方法であって、
前記移動機が前記画像端末との接続状態を監視する監視ステップと、発信側端末からの発信により前記移動機に前記基地局を経由して画像着信があった場合に前記移動機が前記監視ステップにおける監視内容に応じた動作を前記基地局に対して行う制御ステップとを含み、
前記制御ステップは前記監視ステップにて前記移動機と前記画像端末とが接続されていないと確認された場合、応答保留を前記発信側端末に通知し、次いで音声のみの着信を決定するための前記移動機における操作により、音声のみ着信可能であることを前記発信側端末に通知することを特徴とする通信方法。
【請求項１２】
前記制御ステップは前記監視ステップにて前記移動機と前記画像端末とが接続されていると確認された場合、画像着信用の応答を前記基地局を介して前記発信側端末に対して行うことを特徴とする請求項１１記載の通信方法。
【請求項１３】
前記監視ステップは、定期的に前記画像端末との接続状態を監視してその結果を記憶部に記録し、前記制御ステップはこの記憶部に記録された結果に応じた動作を前記基地局を介して前記発信側端末に対して行うことを特徴とする請求項１１から１２いずれか記載の通信方法。
【請求項１４】
前記監視ステップは前記基地局から着信があった時に改めて前記画像端末との接続状態を監視することを特徴とする請求項１１から１３いずれか記載の通信方法。
【請求項１５】
前記制御ステップは前記基地局から音声着信があった場合に前記基地局を介して前記発信側端末に対して音声着信用の応答を行うことを特徴とする請求項１１から１４いずれか記載の通信方法。
【請求項１６】
前記制御ステップは音声通話中に画像通信への切替えを希望する場合、着信種類の確認を行うことを特徴とする請求項１１から１５いずれか記載の通信方法。
【請求項１７】
前記制御ステップは画像通信中に音声通話への切替えを希望する場合、着信種類の確認を行うことを特徴とする請求項１１から１６いずれか記載の通信方法。
【請求項１８】
前記制御ステップは音声着信と画像着信との判別を制御チャネル上の制御情報に含まれるＴＥｍＩＤに基づき行うことを特徴とする請求項１１から１７いずれか記載の通信方法。
【請求項１９】
前記移動機と前記画像端末とは無線で接続されることを特徴とする請求項１１から１８いずれか記載の通信方法。
【発明の詳細な説明】
【０００１】
【発明の属する技術分野】
本発明は通信システム及びそのシステム用移動機並びに通信方法に関し、特に移動機に端末が接続された通信システム及びそのシステム用移動機並びに通信方法に関する。
【０００２】
【従来の技術】
今まで移動機の用途は主に音声通話であったが、最近ではデータ通信も行われるようになってきた。そのデータ通信の延長として、移動機と接続して使用する動画像送受信端末が考えられ、実際に市販されている。現在市販されているものは移動機との接続が有線であるが、将来的には接続は無線である可能性が高いと考えられる。
【０００３】
【発明が解決しようとする課題】
しかし、移動機と画像端末が無線で接続されている場合、両者との間は必ずしも接続が確立されてるとは言い切れず、接続が確立できていない状態で、画像着信があったとすると、使用者は画像端末を取出してみて初めて接続が確立されていないために画像通信が行えないことを知り、それから適切な行動を考え行う羽目になってしまうという欠点があった。又、移動機と画像端末が有線で接続されている場合であっても、このような問題は生じ得る。
【０００４】
一方、受信端末と交換機とのデータ通信の一例が特開平１０−２２４８５９号公報（以下、文献１という）に記載され、子機側パソコンと親機側モデムとのデータ通信の一例が特開平１０−２５７５５８号公報に記載されている。
【０００５】
文献１記載の技術は一方の移動端末から他方の移動端末にデータ通信の着信があり、他方の端末にデータ端末が未接続のとき、そのデータを一時交換機内メモリに蓄積する。着信側でデータ端末の接続が検出されると交換機にデータ要求が発呼される。交換機はメモリ内のデータをその着信側移動端末に送出する。移動端末はデータ端末接続時に自動発呼して交換機メモリ内のデータをデータ端末に取込むというものである。
【０００６】
文献２記載の技術は親機が子機からモデム情報の要求を受信したときにモデムに問い合わせてモデム情報を取得し、その取得したモデム情報を記憶し、その記憶したモデム情報を子機へ送信する。子機がパソコンからモデム情報の要求を受信したときに親機と無線リンクを張ってモデム情報を要求し、その要求に応じて親機から受信したモデム情報をパソコンへ送信するというものである。しかし、文献１及び２のいずれにも前述の欠点を解決する手段は記載されていない。
【０００７】
そこで、本発明の目的は移動機に画像着信があった場合に、移動機と画像端末の状態を気にすることなく、適切に応答することが可能な通信システム及びそのシステム用移動機並びに通信方法を提供することにある。
【０００８】
【課題を解決するための手段】
前記課題を解決するために本発明による通信システムは、基地局と、この基地局と無線で接続される移動機と、この移動機と接続される画像端末とからなる通信システムであって、前記移動機は前記画像端末との接続状態を監視する監視手段と、発信側端末からの発信により前記基地局を経由して画像着信があった場合に前記監視手段における監視内容に応じた動作を前記基地局に対して行う制御手段とを含み、前記制御手段は前記監視手段にて前記移動機と前記画像端末とが接続されていないと確認された場合、応答保留を前記発信側端末に通知し、次いで音声のみの着信を決定するための前記移動機における操作により、音声のみ着信可能であることを前記発信側端末に通知することを特徴とする。
【０００９】
又、本発明による移動機は、前記通信システムに用いられる移動機であることを特徴とする。
【００１０】
さらに、本発明による通信方法は、基地局と、この基地局と無線で接続される移動機と、この移動機と接続される画像端末とからなる通信システムに用いられる通信方法であって、前記移動機が前記画像端末との接続状態を監視する監視ステップと、発信側端末からの発信により前記移動機に前記基地局を経由して画像着信があった場合に前記移動機が前記監視ステップにおける監視内容に応じた動作を前記基地局に対して行う制御ステップとを含み、前記制御ステップは前記監視ステップにて前記移動機と前記画像端末とが接続されていないと確認された場合、応答保留を前記発信側端末に通知し、次いで音声のみの着信を決定するための前記移動機における操作により、音声のみ着信可能であることを前記発信側端末に通知することを特徴とする。
【００１１】
本発明によれば、移動機が端末との接続状態を監視し、着信があった場合には、その接続状態に応じて自動的に予め設定された手段で応答する。従って、移動機に着信があった場合に、移動機と端末の状態を気にすることなく、適切に応答することが可能となる。
【００１２】
【発明の実施の形態】
本発明は、移動機に無線又は有線で接続される画像端末との接続状態を監視して、画像着信時にはその接続状況に応じて、着信拒否、応答保留、等、予め設定された状態で自動的に応答する機能を提供するものである。
【００１３】
以下、本発明の実施の形態について添付図面を参照しながら説明する。図１は本発明に係る通信システムの一例の全体構成図である。図１を参照して、本発明に係る通信システムは基地局１と、この基地局１と無線で接続される移動機２と、この移動機２と無線で接続される画像端末３とを含んで構成される。なお、本実施の形態では移動機２と画像端末３間が無線で接続される場合について説明するが、その動作は有線で接続される場合も同様である。従って、以下、有線で接続される場合の動作説明は省略する。
【００１４】
移動機２は画像端末３との接続状況を定期的に監視し、その情報を内部のメモリ（不図示）に記憶しておく。いま、移動機２に画像着信があった場合、移動機２はそのメモリに記憶されている接続情報をチェックして、画像端末３との接続ができているようであれば、そのまま画像着信に応答する。又、画像端末３との接続ができていないようであれば、着信拒否、応答保留、音声通話のみ可能、等の予め設定された状態で、自動的に応答し、その旨を使用者に伝える。以上により、使用者は画像端末３の状態を自ら確認することなく、又その状態に関わらず、着信に対して適切に応答することができる。
【００１５】
次に、このシステムをＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ：広帯域符号分割多元接続）方式の通信システムに適用した場合について説明する。図２はＷ−ＣＤＭＡ方式の移動機の一例の構成図である。なお、図１と同様の構成部分には同一番号を付し、その説明を省略する。図２を参照して、移動機２−１はアンテナ１１と、送受信増幅（ＡＭＰ）１２と、無線部（ＴＲＸ）１３と、ベースバンド処理部（ＢＢ）１４と、端末インタフェース部（ＴＥＲＭ−ＩＮＴ）１５と、制御部１６とを含んで構成される。
【００１６】
次に、動作について説明する。まず、アンテナ１１から入った高周波信号は無線部１３で準同期検波され、さらにＡ／Ｄ（アナログ／ディジタル）変調された後ベースバンド処理部１４に伝送される。Ｗ−ＣＤＭＡ方式の場合、受信信号は拡散変調されているので、このベースバンド処理部１４で逆拡散が行われ、さらにチップ同調、誤り訂正復号、データの多重分離、ダイバーシチハンドオーバ合成機能等のＷ−ＣＤＭＡ方式特有のベースバンド処理が行われる。次に、ベースバンド処理部１４で処理された信号は端末インタフェース部１４を介して画像端末３に伝送される。画像端末３は受信信号を復号し、画像及び音声を出力する。この一連の動作を制御部（ＭＳ−ＣＮＴ）１６が制御する。又、制御部１６は、前述の図１記載の移動機２の制御、即ち、画像端末３との接続状況のチェック及びチェック後の基地局１に対する応答の制御も行う。
【００１７】
【実施例】
まず、第１実施例について説明する。図３は移動機の一例の詳細構成図である。なお、図２と同様の構成部分には同一番号を付し、その説明を省略する。前述の図１に示すように、使用者が操作できる端末として移動機２と画像端末３があり、移動機２、基地局１間は勿論のこと、移動機２、画像端末３間も無線区間とする。移動機２、画像端末３間で定期的に接続確認のやり取りを無線で行うが、この無線方式は特に規定しない。無線方式の例としてはＢｌｕｅｔｏｏｔｈ方式、ＩｒＤＡ（Ｉｎｆｒａ−ｒｅｄ  Ｄａｔａ  Ａｓｓｏｃｉａｔｉｏｎ）等が考えられる。Ｂｌｕｅｔｏｏｔｈ方式は２端末間を狭帯域の無線信号で接続する方式で、例えば、携帯電話とプリンタ、ＰＤＡ（Ｐｅｒｓｏｎａｌ  Ｄｉｇｉｔａｌ  Ａｓｓｉｓｔａｎｔ）、パーソナルコンピュータ、ファクシミリ、キーボード、ジョイスティック等を無線で接続する方式である。ＩｒＤＡは赤外線データ通信の規格である。
【００１８】
図３を参照して、移動機２−２は送受信増幅（ＡＭＰ）１２と、無線部（ＴＲＸ）１３と、ベースバンド処理部（ＢＢ）１４と、制御部１６と、ＣＰＵ（Ｃｅｎｔｒａｌ  Ｐｒｏｃｅｓｓｉｎｇ  Ｕｎｉｔ）２１と、ＲＯＭ（Ｒｅａｄ  Ｏｎｌｙ  Ｍｅｍｏｒｙ）２２と、Ｒａｎｄｏｍ  Ａｃｃｅｓｓ  Ｍｅｍｏｒｙ）２３と、ハンドセット２４と、ＬＣＤ（Ｌｉｑｕｉｄ  Ｃｒｙｓｔａｌ  Ｄｉｓｐｌａｙ）２５と、ＡＤＰ（Ａｕｔｏｍａｔｉｃ  Ｄａｔａ  Ｐｒｏｃｅｓｓｉｎｇ）２６と、ＢＴ（Ｂｌｕｅｔｏｏｔｈ）２７とを含んで構成され、ＡＤＰ２６とＢＴ２７とで端末インタフェース部（ＴＥＲＭ−ＩＮＴ）１５が構成される。
【００１９】
なお、送受信増幅１２と、無線部１３と、ベースバンド処理部１４と、制御部１６の基本的な動作は前述したので省略するが、制御部１６の詳細な動作については後述する。ＣＰＵ２１は制御部１６の副制御部である。ＲＯＭ２２には予め必要な制御プログラム等のデータが格納されている。ＲＡＭ２３には移動機２−２と画像端末３との接続状況を示す接続情報が格納されている。ハンドセット２４には電話番号等の入力用キー及びマイクロフォン、スピーカ等が設けられている。ＬＣＤ２５は通信状態等を表示する液晶表示器である。ＡＤＰ２６はデータ通信用アダプタである。ＢＴ２６は前述したＢｌｕｅｔｏｏｔｈである。
【００２０】
制御部１６は画像端末３との接続状況を定期的に監視しており、その接続情報をＲＡＭ２３に定期的に格納している。以下、この制御部１６の動作についてフローチャートを用いて詳細に説明する。
【００２１】
図４は第１実施例の動作を示すフローチャート、図５乃至図１１は第１実施例の動作を示す信号流れ図である。これらは移動端末２−２の制御部１６の動作を示している。まず、音声着信の場合から説明する。図５を参照して、使用者から発信側端末に対し音声通信の要求が入力されると（Ｐ１）、発信側端末から基地局１に対しセットアップ情報が送出される（Ｐ２）。次に、基地局１から着信側端末（移動機２−２）に対し着信種別を示す信号が送出される（Ｐ３）。図４を参照して、基地局１から移動機２−２に着信があると、移動機２−２はまず着信の種類を確認する（Ｓ１）。着信の種類が音声着信であるので、音声着信用の応答を行い（図４のＳ２及び図５のＰ４）、発信側の使用者にリンガ音等の所定の方法でその旨を伝える（図５のＰ５）。音声着信があることが分かった着信側の使用者は、移動機２−２を取り出し、所定の手続きで着信を許可し、通話を開始する（Ｓ３）。
【００２２】
次に、画像着信があり画像端末３との接続準備が完了（ＯＫ）している場合について説明する。図６を参照して、使用者から発信側端末に対し画像通信の要求が入力されると（Ｐ１１）、発信側端末から基地局１に対しセットアップ情報が送出される（Ｐ１２）。次に、基地局１から着信側端末（移動機２−２）に対し着信種別を示す信号が送出される（Ｐ１３）。図４を参照して、基地局１から移動機２−２に着信があると、移動機２−２はまず着信の種類を確認する（Ｓ１）。次に、移動機２−２は着信の種類が画像着信であるので、内部のＲＡＭ２３に定期的に記録された画像端末３との接続状況を確認し（Ｓ４）、画像端末３との接続が確立されているので（Ｓ５）、画像着信用の応答を行い（図４のＳ５及び図６のＰ１４）、発信側の使用者に何らかの方法でその旨を伝える（図６のＰ１５）。画像着信があることが分かった着信側の使用者は、画像端末３を取り出し、所定の手続きで着信を許可し、画像通信を開始する（Ｓ７）。
【００２３】
次に、画像着信があり画像端末３との接続準備が完了しておらず（ＮＧ）、切断を希望する場合について説明する。図７を参照して、使用者から発信側端末に対し画像通信の要求が入力されると（Ｐ２１）、発信側端末から基地局１に対しセットアップ情報が送出される（Ｐ２２）。次に、基地局１から着信側端末（移動機２−２）に対し着信種別を示す信号が送出される（Ｐ２３）。図４を参照して、基地局１から移動機２−２に着信があると、移動機２−２はまず着信の種類を確認する（Ｓ１）。次に、移動機２−２は着信の種類が画像着信であるので、内部のＲＡＭ２３に定期的に記録された画像端末３との接続状況を確認し（Ｓ４）、画像端末３との接続が確立されていないので（Ｓ５及びＳ８）、応答拒絶で自動的に応答を行い、現在応答できないことを相手に通知し、その後切断処理に入る（図４のＳ９及び図７のＰ２４，Ｐ２５）。
【００２４】
次に、画像着信があり画像端末３との接続準備が完了しておらず（ＮＧ）、音声着信を希望する場合について説明する。図８を参照して、使用者から発信側端末に対し画像通信の要求が入力されると（Ｐ３１）、発信側端末から基地局１に対しセットアップ情報が送出される（Ｐ３２）。次に、基地局１から着信側端末（移動機２−２）に対し着信種別を示す信号が送出される（Ｐ３３）。図４を参照して、基地局１から移動機２−２に着信があると、移動機２−２はまず着信の種類を確認する（Ｓ１）。次に、移動機２−２は着信の種類が画像着信であるので、内部のＲＡＭ２３に定期的に記録された画像端末３との接続状況を確認し（Ｓ４）、画像端末３との接続が確立されていないので（Ｓ５及びＳ８）、音声のみ着信できることを相手に通知し（Ｓ１０）、所定操作後、音声通話を開始する。
【００２５】
次に、画像着信があり画像端末３との接続準備が完了しておらず（ＮＧ）、応答保留する場合について説明する。まず、応答保留して切断を希望する場合について説明する。図９を参照して、使用者から発信側端末に対し画像通信の要求が入力されると（Ｐ４１）、発信側端末から基地局１に対しセットアップ情報が送出される（Ｐ４２）。次に、基地局１から着信側端末（移動機２−２）に対し着信種別を示す信号が送出される（Ｐ４３）。図４を参照して、基地局１から移動機２−２に着信があると、移動機２−２はまず着信の種類を確認する（Ｓ１）。次に、移動機２−２は着信の種類が画像着信であるので、内部のＲＡＭ２３に定期的に記録された画像端末３との接続状況を確認し（Ｓ４）、画像端末３との接続が確立されていないので（Ｓ５及びＳ８）、応答を保留し、相手にその旨を通知する（図４のＳ１１及び図９のＰ４４，Ｐ４５）。保留している間に、使用者は、画像通信を希望するか、切断を希望するか、音声のみ着信を希望するかを決定する。この場合、使用者は切断を希望する。そこで、使用者は着信側端末（移動機２−２）に設けられたボタン（不図示）を操作して（Ｓ１２）、現在、応答できないことを発信側端末に通知して切断する（Ｐ４６，Ｐ４７）。
【００２６】
次に、応答保留して音声のみ着信を希望する場合について説明する。図１０を参照して、使用者から発信側端末に対し画像通信の要求が入力されると（Ｐ５１）、発信側端末から基地局１に対しセットアップ情報が送出される（Ｐ５２）。次に、基地局１から着信側端末（移動機２−２）に対し着信種別を示す信号が送出される（Ｐ５３）。図４を参照して、基地局１から移動機２−２に着信があると、移動機２−２はまず着信の種類を確認する（Ｓ１）。次に、移動機２−２は着信の種類が画像着信であるので、内部のＲＡＭ２３に定期的に記録された画像端末３との接続状況を確認し（Ｓ４）、画像端末３との接続が確立されていないので（Ｓ５及びＳ８）、応答を保留し、相手にその旨を通知する（図４のＳ１１及び図９のＰ５４，Ｐ５５）。保留している間に、使用者は、画像通信を希望するか、切断を希望するか、音声のみ着信を希望するかを決定する。この場合、使用者は音声のみ着信を希望する。そこで、使用者は着信側端末（移動機２−２）に設けられたボタン（不図示）を操作して（Ｓ１３）、音声のみ着信できることを発信側端末に通知し（図４のＳ１０及び図１０のＰ５６，Ｐ５７）、所定操作後、音声通信を開始する（Ｓ３）。
【００２７】
次に、応答保留して画像通信を希望するを希望する場合について説明する。図１１を参照して、使用者から発信側端末に対し画像通信の要求が入力されると（Ｐ６１）、発信側端末から基地局１に対しセットアップ情報が送出される（Ｐ６２）。次に、基地局１から着信側端末（移動機２−２）に対し着信種別を示す信号が送出される（Ｐ６３）。図４を参照して、基地局１から移動機２−２に着信があると、移動機２−２はまず着信の種類を確認する（Ｓ１）。次に、移動機２−２は着信の種類が画像着信であるので、内部のＲＡＭ２３に定期的に記録された画像端末３との接続状況を確認し（Ｓ４）、画像端末３との接続が確立されていないので（Ｓ５及びＳ８）、応答を保留し、相手にその旨を通知する（図４のＳ１１及び図１１のＰ６４，Ｐ６５）。保留している間に、使用者は、画像通信を希望するか、切断を希望するか、音声のみ着信を希望するかを決定する。この場合、使用者は画像通信を希望する。そこで、使用者は電源投入等により接続確立ができたか否かを調べる（Ｓ１４）。
【００２８】
そして、接続確立ができた場合（Ｓ１４にてＹＥＳの場合）は、所定操作後、画像通信を開始する（Ｐ６６，Ｐ６７）。一方、Ｓ１４にて接続確立ができなかった場合（Ｓ１４にてＮＯの場合）は、音声のみ着信希望か、切断希望かを決定する（Ｓ１５）。そして、音声着信希望の場合はボタンを操作して（Ｓ１３）、音声通信を開始する（図４のＳ１０，Ｓ３及び図１１のＰ６６，Ｐ６７）。一方、切断希望の場合はボタンを操作して（Ｓ１２）、現在、応答できないことを相手に通知して切断する（図４のＳ９及び図１１のＰ６６，Ｐ６７）。
【００２９】
次に、図４のＳ１にて行われる着信種類の確認、即ち音声着信と画像着信の判別が実際にはどのように行われるのかについて簡単に説明する。ユーザデータ（音声や画像データ等）を実際に送受信する前には、移動機同士（当然、これらの間に基地局が存在する）で制御チャネル上で制御情報がやり取りされる。その制御情報（これがセットアップ情報）内でＴＥｍＩＤ（Ｔｅｒｍｉｎａｌ  Ｅｑｕｉｐｍｅｎｔ  ＩＤｅｎｔｉｔｙ）と呼番号とが関連づけられており、これで着信の種類を判別することができる。
【００３０】
即ち、発信側において画像送信を希望する場合は画像送信用ＴＥｍＩＤが発信され、音声送信を希望する場合は音声送信用ＴＥｍＩＤが発信される。着信側はこのＴＥｍＩＤの内容から音声着信であるか、画像着信であるかを判別する。
【００３１】
ＴＥｍＩＤは移動機の機能の一つ一つに固有に付けられており、画像端末にも固有で付けられるものと考えられる。又、呼番号とは実際にユーザデータが流れるであろう論理的なチャネルに付けられた唯一の番号である。このセットアップ情報の一例を図１２に示す。図１２を参照すると、セットアップ情報はＤｅｓｔｉｎａｔｉｏｎ  Ａｄｄｒｅｓｓと、Ｓｏｕｒｃｅ  Ａｄｄｒｅｓｓと、Ｌｅｎｇｔｈと、Ｍｅｓｓａｇｅ  Ｔｙｐｅと、呼番号とを含み、情報長はＬｅｎｇｔｈが２、その他は１である。又、Ｓｏｕｒｃｅ  Ａｄｄｒｅｓｓの内容がＴＥｍＩＤとなっている。
【００３２】
次に、第２実施例について説明する。第１実施例では、移動機２が定期的に画像端末３との接続状況を調べて、内部のメモリにその情報を保管し、画像着信があった場合には、そのメモリ内部の情報を使用して、応答の種類を変化させるものであるが、第２実施例では定期的に画像端末との接続状況を調べることをせずに、画像着信があった時に改めて接続状況を調べ、それに応じて応答の種類を変化させる。
【００３３】
図１３は第２実施例の動作を示すフローチャートである。即ち、第１実施例との動作の相違点は第１実施例の「メモリの内容確認」（図４のＳ４参照）の代わりに「画像端末との接続状態を調べる」（図１３のＳ２１参照）を行うことである。即ち、図１３を参照して、第２実施例では着信種類の確認（Ｓ１）を行い、画像着信であった場合は画像端末との接続状態を調べ（Ｓ２１）、以降は第１実施例のＳ５以降と同様となる。なお、Ｓ１にて音声着信であった場合は第１実施例のＳ２以降と同様である。これによっても第１実施例と同様の効果を得ることができる。又、第１実施例で必要であったメモリ及び定期的に接続状態を監視する機能を省略することができるため、費用の低減を図ることも可能となる。
【００３４】
次に、第３実施例について説明する。第１実施例では着信種類の確認を行った後、音声通話又は画像通信を開始するまでの動作を取扱っている。しかし、音声通話を開始した後に画像通信に切り替えたい場合や、画像通話を開始した後に音声通信に切り替えたい場合が生じ得る。第３実施例ではこの動作を実現する。
【００３５】
図１４は第３実施例の動作を示すフローチャートである。なお、図１４は図４のフローチャートを発展させたものである。まず、音声通話から画像通信に切り替える動作について説明する。図４及び図１４を参照して、所定操作後、音声通話を開始し（Ｓ３）、音声通話中に（Ｓ３１）、画像通信に切替えたい場合（Ｓ３２にてＹＥＳの場合）は通話切替えの所定操作を行い（Ｓ３３）、着信種類の確認を行う（Ｓ１）。それで、画像着信があった場合は前述のＳ４以降の動作を行う。画像着信でなく音声着信であった場合は前述のＳ２以降の動作を行う。又、Ｓ３２にて音声通話を続行する場合（Ｓ３２にてＮＯの場合）は音声通話が維持される。
【００３６】
次に、画像通信から音声通話に切り替える動作について説明する。図４及び図１４を参照して、所定操作後、画像通信を開始し（Ｓ７）、画像通信中に（Ｓ３４）、音声通話に切替えたい場合（Ｓ３５にてＹＥＳの場合）は通話切替えの所定操作を行い（Ｓ３３）、着信種類の確認を行う（Ｓ１）。それで、音声着信があった場合は前述のＳ２以降の動作を行う。音声着信でなく画像着信であった場合は前述のＳ４以降の動作を行う。又、Ｓ３５にて画像通信を続行する場合（Ｓ３５にてＮＯの場合）は画像通信が維持される。
【００３７】
なお、移動機２と画像端末３間が無線で接続される場合について説明したが、前述したようにこれに限定されるものではなく、有線接続の場合にも本発明の適用が可能である。コネクタの接触不良等により接続が確立されない場合もあり得るからである。
【００３８】
【発明の効果】
本発明による第１の発明によれば、基地局と、この基地局と無線で接続される移動機と、この移動機と接続される端末とからなる通信システムであって、前記移動機は前記端末との接続状態を監視する監視手段と、前記基地局から着信があった場合に前記監視手段における監視内容に応じた動作を前記基地局に対して行う制御手段とを含むため、移動機が端末との接続状態を監視し、着信があった場合には、その接続状態に応じて自動的に予め設定された手段で応答する。従って、移動機に着信があった場合に、移動機と端末の状態を気にすることなく、適切に応答することが可能となる。
【００３９】
又、本発明による第２の発明によれば、移動機を上記構成としたため第１の発明と同様の効果を奏する。
【００４０】
又、本発明による第３の発明によれば、基地局と、この基地局と無線で接続される移動機と、この移動機と接続される端末とからなる通信システムに用いられる通信方法であって、前記移動機が前記端末との接続状態を監視する監視ステップと、前記移動機に前記基地局から着信があった場合に前記移動機が前記監視手段における監視内容に応じた動作を前記基地局に対して行う制御ステップとを含むため第１の発明と同様の効果を奏する。
【図面の簡単な説明】
【図１】本発明に係る通信システムの一例の全体構成図である。
【図２】Ｗ−ＣＤＭＡ方式の移動機の一例の構成図である。
【図３】移動機の一例の詳細構成図である。
【図４】第１実施例の動作を示すフローチャートである。
【図５】第１実施例の動作を示す信号流れ図である。
【図６】第１実施例の動作を示す信号流れ図である。
【図７】第１実施例の動作を示す信号流れ図である。
【図８】第１実施例の動作を示す信号流れ図である。
【図９】第１実施例の動作を示す信号流れ図である。
【図１０】第１実施例の動作を示す信号流れ図である。
【図１１】第１実施例の動作を示す信号流れ図である。
【図１２】セットアップ情報の一例を示す図である。
【図１３】第２実施例の動作を示すフローチャートである。
【図１４】第３実施例の動作を示すフローチャートである。
【符号の説明】
１  基地局
２，２−１，２−２  移動機
３  画像端末
１６  制御部
２３  ＲＡＭ
【図１】
0003746917.tif 000002
【図２】
0003746917.tif 000003
【図３】
0003746917.tif 000004
【図４】
0003746917.tif 000005
【図５】
0003746917.tif 000006
【図６】
0003746917.tif 000007
【図７】
0003746917.tif 000008
【図８】
0003746917.tif 000009
【図９】
0003746917.tif 000010
【図１０】
0003746917.tif 000011
【図１１】
0003746917.tif 000012
【図１２】
0003746917.tif 000013
【図１３】
0003746917.tif 000014
【図１４】
0003746917.tif 000015